(57)【要約】本出願は、周囲ガスがリフロー炉の炉床に入るのを遮断する端部バリアボックスを開示し、端部バリアボックスは、ボックス本体であって、ボックス本体は底部及び頂部を備え、底部は取付け用底板を有し、頂部は開口を有し、ボックス本体は一対の側壁を更に備え、側壁は対向して配置されている、ボックス本体と、複数のデフレクターであって、複数のデフレクターの各々は一対の側壁の間に取り付けられ、複数のデフレクターの各々は少なくとも３つのフィンを備え、少なくとも３つのフィンは取付け用底板に取り付けられて取付け用底板から上向きに延びる、複数のデフレクターとを備える。本出願の端部バリアボックスによれば、デフレクターは少なくとも３つのフィンを含むように設定され、これによりデフレクターは、レールを取外すことなく容易に取外すことができ、これは、端部バリアボックスの清掃及び保守に好都合である。
2021529295.tif 000002
【特許請求の範囲】
【請求項１】
周囲ガスがリフロー炉の炉床に入るのを遮断する端部バリアボックスにおいて、
ボックス本体（１０１）であって、該ボックス本体（１０１）は底部（１０２）を備え、該底部（１０２）は取付け用底板（１０８）を有し、該ボックス本体（１０１）は頂部開口（１０９）を形成し、該ボックス本体は一対の側壁（１０４、１０５）を更に備え、該側壁（１０４、１０５）は対向して配置されているボックス本体（１０１）と、
複数のデフレクター（１１０）であって、該複数のデフレクター（１１０）の各々は前記一対の側壁（１０４、１０５）の間に取り付けられ、該複数のデフレクター（１１０）の各々は少なくとも３つのフィン（２１２．１、２１２．２、２１２．３）を備え、該少なくとも３つのフィン（２１２．１、２１２．２、２１２．３）は、前記取付け用底板（１０８）上に取り付けられ該取付け用底板（１０８）から上向きに延びている、複数のデフレクター（１１０）とを具備する端部バリアボックス。
【請求項２】
前記端部バリアボックス（１００）は、前記リフロー炉の少なくとも２本のガイドレール（１１５．１、１１５．２）の下方に組み立てるように使用され、前記少なくとも２本のガイドレール（１１５．１、１１５．２）のうちの隣接する前記ガイドレールの間に第１の幅（Ｗ１）が含まれ、
前記少なくとも２本のガイドレール（１１５．１、１１５．２）のうちの一方の前記ガイドレール（１１５．１）と対応する前記側壁（１０４）との間に第２の幅（Ｗ２）が含まれ、
前記少なくとも２本のガイドレール（１１５．１、１１５．２）のうちの他方の前記ガイドレール（１１５．２）と対応する前記側壁（１０５）との間に第３の幅（Ｗ３）が含まれ、
前記少なくとも３つのフィン（２１２．１、２１２．２、２１２．３）のうちの少なくとも１つのフィンは、幅が前記第１の幅（Ｗ１）、前記第２の幅（Ｗ２）及び前記第３の幅（Ｗ３）のうちの少なくとも１つの幅よりも小さくされ、これにより前記少なくとも３つのフィン（２１２．１、２１２．２、２１２．３）のうちの少なくとも１つのフィンは、前記頂部開口（１０９）から取外可能である請求項１に記載の端部バリアボックス。
【請求項３】
前記複数のデフレクター（１１０）の幅（Ｗ４）が、前記一対の側壁間の幅（Ｗ５）と同一である請求項２に記載の端部バリアボックス。
【請求項４】
前記少なくとも３つのフィン（２１２．１、２１２．２、２１２．３）は４つのフィンである請求項２に記載の端部バリアボックス。
【請求項５】
前記複数のデフレクター（１１０）のうちの隣接する前記デフレクター（１１０）の間に隙間（２８５）が形成されてガス通路を形成する請求項２に記載の端部バリアボックス。
【請求項６】
前記取付け用底板（１０８）は複数の通気孔（２５６）を備え、該複数の通気孔（２５６）は前記ガス通路と連通している請求項５に記載の端部バリアボックス。
【請求項７】
前記フィンの各々は屈曲部（２１８）を備え、該屈曲部（２１８）は、取外可能な締結組立体（４２０）によって、前記取付け用底板（１０８）に連結され、これにより、前記少なくとも３つのフィン（２１２．１、２１２．２、２１２．３）が前記取付け用底板（１０８）に取り付けられる請求項２に記載の端部バリアボックス。
【請求項８】
前記取外可能な締結組立体（４２０）は、
挿入部材（４３０）であって、該挿入部材（４３０）は前記屈曲部（２１８）に取り付けられ、該挿入部材（４３０）はＵ字形フレーム（４３１）及びボルト（４３２）を備え、前記屈曲部は孔（４３５）を有し、前記Ｕ字形フレーム（４３１）の２つの端部（４３８．１、４３８．２）が前記孔（４３５）の２つの端部に取り付けられ、前記ボルト（４３２）は、前記Ｕ字形フレーム（４３１）の頂部（４３６）に取り付けられて、前記孔（４３５）の方向に向かって延びる舌部（４３３）を有する、挿入部材（４３０）と、
収納部材（４４０）であって、該収納部材（４４０）は前記取付け用底板（１０８）に取り付けられ、該収納部材（４４０）はボス（４４３）を備え、該ボス（４４３）は収納スロット（４４５）を備え、前記ボス（４４３）は前記孔（４３５）を通過するために使用され、これにより前記収納スロット（４４５）は、前記ボルト（４３２）の前記舌部（４３３）を収納する収納部材（４４０）とを備える請求項７に記載の端部バリアボックス。
【請求項９】
前記収納部材（４４０）は、弾性部材（４４８）及びボール（４４９）を備え、該ボール（４４９）は、前記弾性部材（４４８）の一端に配置され、前記弾性部材（４４８）及び前記ボール（４４９）は、前記収納スロット（４４５）の２つの側部に配置され、前記ボール（４４９）は、前記舌部（４３３）の側面と弾性的に接触するために使用される請求項８に記載の端部バリアボックス。
【請求項１０】
リフロー炉において、
少なくとも２本のガイドレール（１１５．１、１１５．２）と、
該リフロー炉の入口端及び出口端に配置された請求項１〜９のいずれか１項に記載の前記端部バリアボックス（１００）とを具備し、
前記端部バリアボックス（１００）は、前記少なくとも２本のガイドレール（１１５．１、１１５．２）の下方に配置されているリフロー炉。
【発明の詳細な説明】
【技術分野】
【０００１】
本出願は、リフロー炉、並びにリフロー炉の入口端及び出口端で使用される端部バリアボックスに関する。
【背景技術】
【０００２】
処理ガスとして不活性ガスを用いるリフロー炉の場合、外部環境から来る空気が炉床に入ると、炉床内の不活性雰囲気が破壊され、酸素ガスに対する不活性ガスの比率、及び炉内のガス温度を制御することが困難になる。したがって、リフロー炉の入口端及び出口端の頂部及び底部に、それぞれ反対側の開口を備える端部バリアボックスを設け、底部における端部バリアボックスは、リフロー炉のワーク供給ガイドレールの下方に位置している。バリアボックス内に供給される不活性ガスは、頂部の端部バリアボックスと底部の端部バリアボックスとの間にバリア領域を形成することができ、それによって外部環境から来てリフロー炉の炉床内に入る空気をガスカーテンによって減少させることができる。
【０００３】
しかしながら、端部バリアボックスの使用中、リフロー炉の炉床内のガスが端部バリアボックスに接触する結果、これらのガス内の揮発性汚染物質が、端部バリアボックスの内部構成部品上に凝縮物を形成する。そのため、清掃及び保守に好都合な端部バリアボックスを提供する必要がある。
【発明の概要】
【発明が解決しようとする課題】
【０００４】
上記問題を解決するために、本出願の目的は、取外し及び清掃に好都合な端部バリアボックスを提供することである。
【課題を解決するための手段】
【０００５】
上記目的を達成するために、本出願の第１の態様は、周囲ガスがリフロー炉の炉床に入るのを遮断する端部バリアボックスであって、ボックス本体であって、ボックス本体は底部を備え、底部は取付け用底板を有し、ボックス本体は頂部開口を形成し、ボックス本体は一対の側壁を更に備え、側壁は対向して配置されている、ボックス本体と、複数のデフレクターであって、複数のデフレクターの各々は一対の側壁の間に取り付けられ、複数のデフレクターの各々は少なくとも３つのフィンを備え、少なくとも３つのフィンは、取付け用底板上に取り付けられ取付け用底板から上向きに延びている、複数のデフレクターとを備える、端部バリアボックスを提供する。
【０００６】
上記の第１の態様によれば、端部バリアボックスは、リフロー炉の少なくとも２本のガイドレールの下方に設置され、少なくとも２本のガイドレールのうちの隣接するガイドレールの間に第１の幅が含まれ、少なくとも２本のガイドレールのうちの一方のガイドレールと対応する側壁との間に第２の幅が含まれ、少なくとも２本のガイドレールのうちの他方のガイドレールと対応する側壁との間に第３の幅が含まれ、少なくとも３つのフィンのうちの少なくとも１つのフィンは、幅が第１の幅、第２の幅及び第３の幅のうちの少なくとも１つの幅よりも小さくされ、これにより少なくとも３つのフィンのうちの少なくとも１つのフィンは、頂部開口から取外可能である。少なくとも３つのフィンのうちの少なくとも１つのフィンは、少なくとも２本のガイドレールのうちの隣接するガイドレール間、少なくとも２本のガイドレールのうちの一方のガイドレールと対応する側壁との間、又は少なくとも２本のガイドレールのうちの他方のガイドレールと対応する側壁との間で取外可能である。
【０００７】
上記の第１の態様によれば、複数のデフレクターの幅が一対の側壁間の幅と同一である。
【０００８】
上記の第１の態様によれば、少なくとも３つのフィンは４つのフィンである。
【０００９】
上記の第１の態様によれば、複数のデフレクターのうちの隣接するデフレクターの間に隙間が形成されてガス通路を形成する。
【００１０】
上記の第１の態様によれば、取付け用底板は複数の通気孔を備え、複数の通気孔はガス通路と連通している。
【００１１】
上記の第１の態様によれば、フィンの各々は屈曲部を備え、屈曲部は取外可能な締結組立体によって取付け用底板に連結され、これにより少なくとも３つのフィンが取付け用底板に取り付けられる。
【００１２】
上記の第１の態様によれば、取外可能な締結組立体は挿入部材であって、挿入部材は屈曲部に取り付けられ、挿入部材はＵ字形フレーム及びボルトを備え、屈曲部は孔を有し、Ｕ字形フレームの２つの端部が孔の２つの端部に取り付けられ、ボルトは、Ｕ字形フレームの頂部に取り付けられて、孔の方向に向かって延びる舌部を有する、挿入部材と、収納部材であって、収納部材は取付け用底板に取り付けられ、収納部材はボスを備え、ボスは収納スロットを備え、ボスは孔を通過するために使用され、これにより収納スロットはボルトの舌部を収納する収納部材とを備える。
【００１３】
上記の第１の態様によれば、収納部材は弾性部材及びボールを備え、ボールは弾性部材の一端に配置され、弾性部材及びボールは、収納スロットの２つの側部に配置され、ボールは舌部の側面と弾性的に接触するために使用される。
【００１４】
本出願の第２の態様は、リフロー炉であって、少なくとも２本のガイドレールと、リフロー炉の入口端及び出口端に配置された上記の端部バリアボックスとを備え、端部バリアボックスは、少なくとも２本のガイドレールの下方に配置されているリフロー炉を提供する。
【００１５】
本出願の端部バリアボックスによれば、デフレクターは少なくとも３つのフィンを含むように設定され、これによりデフレクターは、レールを取外すことなく容易に取外すことができ、これは、端部バリアボックスの清掃及び保守に好都合である。
【図面の簡単な説明】
【００１６】
【図１】ガイドレールを組み付けた後の、本出願の端部バリアボックスの立体構造図である。
【図２Ａ】本出願の端部バリアボックスの立体構造図である。
【図２Ｂ】取付け用底板の具体的な構造を示すための、図２Ａに示す端部バリアボックスの分解立体構造図である。
【図３】ガイドレール間の距離と、ガイドレールと側壁との間の距離と、フィンの幅との間の関係を示すための、図１の端部バリアボックスの正面図である。
【図４Ａ】連結状態にある締結組立体の一実施形態を示す立体構造図である。
【図４Ｂ】分離状態にある締結組立体の一実施形態を示す立体構造図である。
【発明を実施するための形態】
【００１７】
本出願の様々な具体的な実施形態を、以下において本明細書の一部を構成する図面を参照して説明する。本出願において、本出願の様々な例示的な構造部品及び要素を説明するために、「前」、「後」、「上」、「下」、「左」、「右」、「頂」、「底」等の方向を指す用語が使用されるが、本明細書においてこれらの用語は、例示の目的でのみ使用され、図面に示す例示的な向きに基づくことを理解されたい。本出願に開示される実施形態は、異なる方向に配置することができるので、これらの用語は、単なる例示であり、限定とみなすべきではない。可能ならいつでも、本出願では、同様の構成要素を指示するために同一の或いは類似の参照符号が用いられている。
【００１８】
図１は、リフロー炉のガイドレールの下方に組み立てられたときの、本出願の端部バリアボックス１００の立体構造図であり、端部バリアボックス１００とガイドレールとの間の位置関係、及び端部バリアボックス１００の外側構造を例示する。図１に示すように、端部バリアボックス１００は、リフロー炉内において２本のガイドレール１１５．１、１１５．２の下方に位置している。ここでは、端部バリアボックス１００をより明確に示すために、端部バリアボックス１００の上方のガイドレール１１５．１、１１５．２の小さな部位のみが図１に示される。
【００１９】
図１に示すように、端部バリアボックス１００は、ボックス本体１０１を含み、ボックス本体１０１は、頂部１０３、底部１０２及び側壁１０４、１０５を備える。ボックス本体１０１の頂部１０３は頂部開口１９０を形成し、底部１０２は取付け用底板１０８を有する。側壁１０４、１０５は、ボックス本体１０１の左側面及び右側面に位置し、対向して配置される。ボックス本体１０１の後面はバッフル１０７を有し、ボックス本体１０１の前面はリフロー炉と連通している。ガイドレール１１５．１、１１５．２は、一端をバッフル１０７によって支持され、側壁１０４、１０５と実質的に平行な方向に延びてリフロー炉の炉床を通過し、溶接されるワークを端部バリアボックス１００の前後方向に沿って輸送するために使用される。
【００２０】
端部バリアボックス１００は、複数のデフレクター１１０を更に備える。デフレクター１１０の各々は、側壁１０４と側壁１０５との間に配置され、一方の側壁１０４から他方の側壁１０５まで延びている。デフレクター１１０の各々は、取付け用底板１０８上に取り付けられ、取付け用底板１０８から上向きに延びている。これらのデフレクター１１０は、並んでかつ互いに平行に配置される。ガイドレール１１５．１、１１５．２は、複数のデフレクター１１０の上方に位置している。
【００２１】
もちろん、当業者であれば、端部バリアボックス１００に対応する端部バリアボックスをガイドレール１１５．１、１１５．２の上方に組み立てることも理解するであろう。ガイドレールの上方の端部バリアボックスも開口及びデフレクターを有し、ガイドレールの上方の端部バリアボックスの開口は下向きに配置される。このような一対の端部バリアボックスは、リフロー炉の炉床の入口端及び出口端の両方に設けられる。したがって、ガイドレール１１５．１、１１５．２の上方及び下方の端部バリアボックスにガスが同時に導入されると、リフロー炉の炉床の両端部における外部周囲ガスと、リフロー炉の炉床内における内部ガスとを、ガイドレール１１５．１、１１５．２の近くにおいて２つの端部バリアボックス間で遮断することができる。ガイドレールの上方の端部バリアボックスは、端部バリアボックス１００と同じ構造にすることができ、又は既存の任意の端部バリアボックスにすることができる。
【００２２】
端部バリアボックス１００の具体的な構造は図２Ａ及び図２Ｂに更に示され、図２Ｂは、図２Ａの端部バリアボックス１００の分解立体構造図である。
【００２３】
図２Ａ及び図２Ｂに示すように、端部バリアボックス１００の底部１０２は、底板２５４及び前側板２０８を更に含む。底板２５４、前側板２０８、取付け用底板１０８、側壁１０４、１０５及びバッフル１０７は、まとまって端部バリアボックス１００の底部１０２にガス空洞を形成する。底板２５４は、ガス入力口２５２を連結する開口（図示せず）を備えている。ガス入力口２５２は、窒素ボトル等のガス源に連結することができ、これによりガス源内のガスは、ガス入力口２５２を通って端部バリアボックス１００のガス空洞に供給される。取付け用底板１０８は、ガスが通るための複数の通気孔２５６を備え、これによりガス空洞内のガスは、通気孔２５６を通って取付け用底板１０８の上方に供給することができる。
【００２４】
隣接するデフレクター１１０の間に隙間２８５が形成され、隙間２８５はガス通路を形成することができる。通気孔２５６は、底板１０８の隙間２８５に対応する位置に配置され、これによりガス空洞内のガスは、通気孔２５６を通ってガス通路に入ることができる。ガス通路に入るガスは、デフレクター１１０に沿って底部から頂部に流れることができ、それによってデフレクター１１０の上方にガス層流のバリア領域を形成する。本出願の例では、７つのデフレクター１１０を設けて、６つのガス通路を形成する。当業者であれば、異なるリフロー炉及び溶接製品の仕様要件に従って、７つよりも多い又は７つ未満のデフレクター１１０を設けることもでき、それらは全て本出願の範囲内である。
【００２５】
デフレクター１１０の各々は、４つのフィン２１２．１、２１２．２、２１２．３、２１２．４を含み、４つのフィンは、その幅方向に沿って一列に並んで配置されてデフレクター１１０を形成する。フィンの各々の底部は屈曲部２１８を有し、取付け用底板１０８と屈曲部２１８とは、フィンが取付け用底板１０８に連結できるように、締結組立体２２０によって連結されている。
【００２６】
図２Ａ及び図２Ｂに示すように、フィンの各々は、側壁１０４から側壁１０５への方向において或る特定の幅とされている。複数のフィンの幅は同じでも異なってもよいが、それらの幅の合計は、デフレクター１１０の幅Ｗ４と同一である（図３参照）。フィンの各々は、底部１０２から頂部開口１０９への方向で或る特定の高さとされている。複数のフィンの高さは、フィンの各々がガイドレールから或る特定の距離Ｈだけ離れている限り、同じでも異なってもよい（図３を参照）。
【００２７】
図３は、図１の端部バリアボックス１００の正面図であり、端部バリアボックス１００は、フィンの寸法設定及びフィンの取外しプロセスを説明するために、リフロー炉のガイドレールの下方に組み立てられる。
【００２８】
図３に示すように、リフロー炉のガイドレール１１５．１とガイドレール１１５．２との間に幅Ｗ１が含まれ、ガイドレール１１５．１と側壁１０４との間に幅Ｗ２が含まれ、ガイドレール１１５．２と側壁１０５との間に幅Ｗ３が含まれる。例として、Ｗ１、Ｗ２、Ｗ３は順次減少している。Ｗ１、Ｗ２、Ｗ３の合計は、実質的に側壁１０４と側壁１０５との間の幅Ｗ５に等しい。４つのフィン２１２．１、２１２．２、２１２．３、２１２．４で構成される、デフレクター１１０の幅Ｗ４も実質的にＷ５と同一である。
【００２９】
本出願の図３に示す例において、フィンの各々は実質的に同じ幅とされ、この幅は、Ｗ１、Ｗ２未満であるが、Ｗ３よりも大きい。フィンの各々の高さもほぼ同じであり、ガイドレールから或る特定の距離Ｈだけ離れている。他の実施形態において、必要な数のフィンが設けられ、又は或る特定の幅とされたフィンが設けられ、これによりフィンのうちの少なくとも１つがＷ１、Ｗ２、Ｗ３のいずれかよりも狭い幅とされている限り、複数のフィンの幅は異なってもよいことに留意されたい。
【００３０】
端部バリアボックス１００の使用中、リフロー炉の炉床内の高温ガスが端部バリアボックスに接触し、端部バリアボックスのバリア領域内のガスの温度はより低いため、リフロー炉の炉床から来るガスは、端部バリアボックス１００のデフレクター１１０及び取付け用底板１０８上に容易に凝縮物を形成する。デフレクター１１０及び取付け用底板１０８上の凝縮物が或る特定の程度蓄積すると、例えば、ガスの流れに影響を及ぼしてバリア領域を形成すると、デフレクター１１０は、端部バリアボックス１００から取外す必要があり、これにより端部バリアボックス１００は別個に清掃することができ、取付け用底板１０８は好都合に清掃することができる。従来技術では、デフレクターはただ１つのフィンを含む。ガイドレール１１５．１、１１５．２が、フィンの上方への取出しを妨げるので、デフレクター及び取付け用底板を清掃するためにフィンを除去するとき、ガイドレール１１５．１、１１５．２を最初に除去する、又は端部バリアボックス全体を除去する必要がある。
【００３１】
本出願において、１つのデフレクター１１０は、４つのフィン２１２．１、２１２．２、２１２．３、２１２．４が重ね継ぎされるように設定され、かつ適切なフィン幅が設定され、これによりフィンは、隣接するガイドレール間の隙間又はガイドレールと側壁との間の隙間を通って取り出すことができる。デフレクター１１０は、リフロー炉の２本のガイドレール１１５．１、１１５．２によってブロックされていても、取外すのが困難ではない。したがって、本出願によって提供される端部バリアボックス１００を使用することによって、デフレクター１１０は、ガイドレールを取外すことなく好都合に取外すことができ、端部バリアボックスの清掃を容易にする。
【００３２】
デフレクター１１０の具体的な取外しプロセスは、以下において図３を参照して詳細に説明する。
【００３３】
デフレクター１１０を取外すとき、フィン２１２．１、２１２．３が最初に取外される。具体的には、フィン２１２．１は、ガイドレール１１５．１と側壁１０４との間の隙間を通過することが可能であり、フィン２１２．１を開口１０９から上向きに取り出す。フィン２１２．３は、ガイドレール１１５．１とガイドレール１１５．２との間の隙間を通過することが可能であり、フィン２１２．３を開口１０９から上向きに取り出す。これによって、フィン２１２．１、２１２．３は取外すことができる。次いで、フィン２１２．２及びフィン２１２．４を取外す。フィン２１２．２及びフィン２１２．４は、最初に左方に又は右方に或る距離だけ移動され、これによりフィン２１２．２及びフィン２１２．４は、ガイドレール１１５．１と側壁１０４との間の隙間、又はガイドレール１１５．１とガイドレール１１５．２との間の隙間を通過することができ、開口１０９から上向きに取り出す。
【００３４】
一部のリフロー炉では、Ｗ１、Ｗ２、Ｗ３の大きさの関係が変わるように、ガイドレール１１５．１、１１５．２の位置を調整可能とすることができる。このとき、どのフィンを最初に除去するかは、図３に示すデフレクター１１０のフィンの限定された取外し工程に代えて、Ｗ１、Ｗ２、Ｗ３の大きさに応じて具体的に決定することもできる。一例として、ガイドレール１１５．１を左方に移動して、フィンの幅がＷ１よりも小さいがＷ２、Ｗ３よりも大きくなれば、フィン２１２．２、２１２．３を最初に取外すことができ、次いでフィン２１２．１、２１２．４を中間に移動した後、取外すことができる。
【００３５】
１つのデフレクター１１０から分割されるフィンの数は、上記例の数に限定されず、リフロー炉内におけるガイドレールの数、及びリフロー炉内におけるガイドレールの位置設定に従って決定される。例えば、リフロー炉内に２本のガイドレールを配置するとき、少なくとも１つのフィンの幅がＷ１、Ｗ２、Ｗ３のいずれかよりも小さい限り、１つのデフレクター１１０は３つのフィンを重ね継ぎすることもできる。デフレクターは、少なくとも１つのフィンの幅がＷ１、Ｗ２、Ｗ３のいずれかよりも小さい限り、より多数の、例えば５つのフィンから構成することもできる。
【００３６】
デフレクター１１０を取り付けるとき、取り付けプロセスは取外しプロセスの逆である。図３に示す例では、フィン２１２．１、２１２．３は、フィン２１２．２、２１２．４を取り付けた後に取り付けることができる。
【００３７】
図４Ａ及び図４Ｂは、フィンと取付け用底板１０８との間の連結構造を例示するために締結組立体２２０の一実施形態の具体的な構造を示し、締結組立体２２０は、取外可能な締結組立体４２０である。図４Ａの取外可能な締結組立体４２０は連結状態にあり、図４Ｂの取外可能な締結組立体４２０は分離状態にある。その上、取外可能な締結組立体４２０の具体的な構造をより明確に示すために、図４Ａ及び図４Ｂにはフィンの屈曲部２１８のみを示し、フィンの残りの部分は省略している。他の実施形態では、締結組立体２２０は、他の構造を有する締結組立体にすることもできる。
【００３８】
図４Ａ及び図４Ｂに示すように、取外可能な締結組立体４２０は、挿入部材４３０及び収納部材４４０を含み、挿入部材４３０はフィンの屈曲部２１８上に配置され、収納部材４４０は取付け用底板１０８に取り付けられる。
【００３９】
挿入部材４３０は、Ｕ字形フレーム４３１及びボルト４３２を含む。屈曲部２１８に孔４３５を設け、Ｕ字形フレーム４３１は、屈曲部２１８の上面に連結され、孔４３５を左右方向にまたがっている。ボルト４３２は、Ｕ字形フレーム４３１の内側面に取り付けられる。具体的には、Ｕ字形フレーム４３１は、頂部４３６と、２つの端部４３８．１、４３８．２とを有し、頂部４３６は孔４３５から或る特定の距離に保たれ、２つの端部４３８．１、４３８．２は、孔４３５の左端部及び右端部においてそれぞれ屈曲部２１８の上面に連結され、これによりフレーム４３１は実質的に逆Ｕ字形である。ボルト４３２は、頂部４３６の下面に連結され、頂部４３６と孔４３５との間に位置している。ボルト４３２は、基部４３７及び舌部４３３を含む。基部４３７は、Ｕ字形フレームの頂部４３６の下面に連結され、舌部４３３は、基部４３７から孔４３５に向かって延びている。舌部４３３の左端部及び右端部は、滑らかな湾曲面４３９を有し、わずかに内方へくぼんでいる。他の例では、挿入部材４３０は基部４３７を有さなくてもよく、舌部４３３は、Ｕ字形フレームの頂部４３６の下面に直接連結される。
【００４０】
収納部材４４０は台座４４１及びボス４４３を含む。台座４４１の左端部及び右端部に連結孔４４２．１、４４２．２を設け、台座４４１は、連結孔４４２．１、４４２．２を通って取付け用底板１０８に連結することができる。台座４４１の中間にボス４４３があり、ボス４４３の中間に収納スロット４４５を備え、収納スロット４４５によりボス４４３は２つの部分に分割される。収納スロット４４５の左側面及び右側面における側壁に、それぞれ弾性部材４４８を備えており、２つの弾性部材４４８は、左右方向で拡張可能及び収縮可能である。弾性部材４４８の端部にボール４４９を連結している。挿入部材４３０を収納部材４４０に連結すると、ボルト４３２の舌部４３３が収納スロット４４５内に挿入され、ボルト４３２の基部４３７がボス４４３の上面に当接する。一例として、ボス４４３の頂面は湾曲面の形状にされている。
【００４１】
フィンの取り付け及び取外しプロセスは、以下において図２Ａ、図４Ａ及び図４Ｂと併せて更に説明する。
【００４２】
フィンを取り付けるとき、取外可能な締結組立体４２０は、図４Ｂから図４Ａへの状態を経て、フィンを取付け用底板１０８に垂直方向で下向きに連結する。具体的には、フィンに下向きの圧力を加えると、収納部材４４０は孔４３５を上向きに通過する。孔４３５の寸法は、収納部材４４０の台座４４１を収納しかつ台座４４１の寸法と一致するように設定され、これにより台座４４１を孔４３５に収納した後、挿入部材４３０に対する収納部材４４０の水平方向の位置が制限される。ボルト４３２の基部４３７は、ボス４４３の頂面と接触しており、それによって挿入部材４３０に対する収納部材４４０の垂直方向の位置も制限される。挿入部材４３０の舌部４３３を収納部材４４０の収納スロット４４５に挿入すると、弾性部材４４８及びボール４４９は、舌部４３３の湾曲面４３９に左右から弾性的に接触しかつ或る特定の張力を維持し、これによりボルト４３２の舌部４３３が収納スロット４４５に挿入された後、弾性部材４４８及びボール４４９は、湾曲面４３９のくぼみに当接する。弾性部材４４８及びボール４４９は、外力を受けることなく湾曲面４３９に対して移動することはない。それによって、挿入部材４３０及び収納部材４４０は一緒に連結することができ、こうしてフィンが取付け用底板１０８に連結される。
【００４３】
フィンを取外すとき、取外可能な締結組立体４２０は、図４Ａから図４Ｂの状態を経て、フィンを取付け用底板１０８から垂直方向で上向きに引き抜く。具体的には、フィンに上向きの引張力を加えると、引張力は、湾曲面４３９に対する弾性部材４４８の弾性力に打ち勝ち、これにより挿入部材４３０の舌部４３３は、収納部材４４０の収納スロット４４５から係脱され、それによって挿入部材４３０と収納部材４４０とを分離し、これによりフィンが取付け用底板１０８から取外される。一例として、フィンに上向きの引張力を加える前に、フィンは、ボス４４３の上面の湾曲面部分が基部４３７と接触するように、前後方向にわずかにそらされ、挿入部材４３０は、ボス４４３の頂面の湾曲面部分によって或る角度でそらされて、それにより、弾性部材４４８及びボール４４９は、そらせ作用によって湾曲面４３９から分離され、次いでフィンを取外すためにフィンに引張力を加える。これによって、加える張力が再弾性力に打ち勝つ必要がないため、フィンは、より小さな引張力を加えることによって取外すことができる。
【００４４】
したがって、フィンの取り付け及び取外しは、取外可能な締結組立体４２０によって容易にすることができ、フィンは、ねじ取り付けのための作業空間を必要とすることなく、より小さな空間内でより迅速に取り付け及び取外すことができる。
【００４５】
本発明は、図面に例示された具体的な実施形態を参照して説明してきたが、本出願の端部バリアボックスは、本出願の趣旨及び範囲及び背景から逸脱することなく、多くの変形を取り入れ得ることを理解されたい。当業者であれば、本出願に開示された実施形態における配置を変更するための異なる様式があり、それらは全て本出願及び特許請求の範囲の趣旨及び範囲内に属することを理解するであろう。
【符号の説明】
【００４６】
１００    端部バリアボックス
１０１    ボックス本体
１０２    底部
１０３    頂部
１０４    側壁
１０５    側壁
１０７    バッフル
１０８    底板
１０９    頂部開口
１１０    デフレクター
１１５．１    ガイドレール
１１５．２    ガイドレール
２１２．１    フィン
２１２．２    フィン
２１２．３    フィン
１９０    頂部開口
２０８    前側板
２１８    屈曲部
２２０    締結組立体
２５２    ガス入力口
２５４    底板
２５６    通気孔
２８５    隙間
４２０    締結組立体
４３０    挿入部材
４３１    Ｕ字形フレーム
４３２    ボルト
４３３    舌部
４３５    孔
４３６    頂部
４３７    基部
４３８．１    端部
４３８．２    端部
４３９    湾曲面
４４０    収納部材
４４１    台座
４４２．１    連結孔
４４２．２    連結孔
４４３    ボス
４４５    収納スロット
４４８    弾性部材
４４９    ボール
【図１】
2021529295.tif 000003
【図２Ａ】
2021529295.tif 000004
【図２Ｂ】
2021529295.tif 000005
【図３】
2021529295.tif 000006
【図４Ａ】
2021529295.tif 000007
【図４Ｂ】
2021529295.tif 000008
【国際調査報告】
2021529295.tif 000009
2021529295.tif 000010